(57)【特許請求の範囲】
【請求項１】
地中に埋設している水道管(1)内を圧送されて、水道管(1)の内面を擦り洗いする洗管ピグであって、
先端ブロック(30)と、この先端ブロック(30)に連結している弾性拡開テーパー筒部(31)と、この弾性拡開テーパー筒部(31)に連結している可撓性を有する不透水シート(32)とを備え、
弾性拡開テーパー筒部(31)は、先端を先端ブロック(30)に連結してなる複数の弾性線材(33)からなり、複数の弾性線材(33)は先端から後端に向かって直径を大きくするテーパー状である筒状面内に配設され、
不透水シート(32)は、弾性拡開テーパー筒部(31)の後端を開口し、かつ弾性拡開テーパー筒部(31)に連結されて弾性拡開テーパー筒部(31)の弾性線材(33)の隙間を不透水状態としており、
弾性拡開テーパー筒部(31)が、弾性線材(33)の弾性と、後端の開口部(35)から内側に供給される加圧水で拡開されて水道管(1)の内面に押圧され、弾性拡開テーパー筒部(31)の内側に供給される加圧水で水道管(1)内を圧送されるようにしてなる水道管の洗管ピグ。
【請求項２】
前記弾性拡開テーパー筒部(31)の外側に、水道管(1)の内面に付着する夾雑物を擦って除去する夾雑物除去シート(34)を設けている請求項１に記載される水道管の洗管ピグ。
【請求項３】
前記夾雑物除去シート(34)が研磨材を付着しているシートである請求項２に記載される水道管の洗管ピグ。
【請求項４】
前記不透水シート(32)を連結フック(39)を介して弾性拡開テーパー筒部(31)の弾性線材(33)に連結している請求項１に記載される水道管の洗管ピグ。
【請求項５】
前記不透水シート(32)が弾性拡開テーパー筒部(31)の外側に連結され、不透水シート(32)の後端部を弾性拡開テーパー筒部(31)の外側から内側に折曲して延長している請求項１又は４に記載される水道管の洗管ピグ。
【請求項６】
前記不透水シート(32)が弾性拡開テーパー筒部(31)の内側に連結され、不透水シート(32)の後端部を弾性拡開テーパー筒部(31)の内側から外側に折曲して延長している請求項１又は４に記載される水道管の洗管ピグ。
【請求項７】
前記弾性拡開テーパー筒部(31)が、先端ブロック(30)に前後に位置ずれして連結している第１の弾性拡開テーパー筒部(31A)と第２の弾性拡開テーパー筒部(31B)からなり、第１の弾性拡開テーパー筒部(31A)を構成する弾性線材(33)の間に第２の弾性拡開テーパー筒部(31B)を構成する弾性線材(33)を配設している請求項１に記載される水道管の洗管ピグ。
【請求項８】
先端ブロック(30)の先端に、折曲部(6)を介して弾性拡開テーパー筒部(31)よりも外形の小さいガイドピグ(5)を連結している請求項１に記載される水道管の洗管ピグ。
【請求項９】
折曲部(6)が先端ブロック(30)とガイドピグ(5)とを連結する、変形できるロッド状又は紐状である請求項８に記載される水道管の洗管ピグ。
【発明の詳細な説明】
【技術分野】
【０００１】
本発明は、地中に埋設している水道管に洗管ピグを圧送して、洗管ピグでもって水道管の内面を擦り洗いする水道管の洗管ピグに関する。
【背景技術】
【０００２】
地中の水道管に洗管ピグを挿入し、これを水道水で圧送して水道管の内面を擦り洗いする方法とこれに使用する洗管ピグは開発されている。（特許文献１ないし４参照）
【特許文献１】特開平１０−３１４６８９号公報
【特許文献２】特開平１１−２５３９０２号公報
【特許文献３】特開平９−２６８６４２号公報
【特許文献４】特開平９−２６８６４３号公報
【発明の開示】
【発明が解決しようとする課題】
【０００３】
これらの特許文献に記載される洗浄方法は、洗管ピグを水道管内に圧送して、洗管ピグの表面で水道管の内面を擦って洗浄する。この方法は、簡単に地中の水道管を洗浄できる。ただ、この洗浄方法は、水道管に洗管ピグを入れるために、水道管に挿入管と排出管を連結している。挿入管と排出管を連結するために、地面を掘り起こして水道管を地上に表出し、この状態で水道管に挿入管と排出管を連結する必要があり、この工程に非常に手間がかかる欠点がある。
【０００４】
以上の欠点は、水道管にすでに連結している消火栓や空気管を利用して洗管ピグを水道管に挿入し、また水道管から洗管ピグを取り出すことで解消できる。この方法に使用する洗管ピグは、ウレタンフォーム等の表面に研磨層を設けた弾性変形できる構造で実現できる。ただ、この洗管ピグは、細い分岐管から太い水道管に入れ、また太い水道管から細い分岐管に移送する必要がある。このため、細い分岐管を通過できるようにウレタンフォームを柔軟に設計する必要がある。ところが、細い分岐管を通過できる柔軟なウレタンフォームの洗管ピグは、水道管の内面を効率よく擦り洗いできない。それは、柔軟なウレタンフォームは、水道管の内面を押圧する圧力が低下するからである。水道管の内面を効率よく擦り洗いできるようにウレタンフォームを硬くすると、細い分岐管を通過できず、分岐管から水道管に出し入れできなくなってしまう。すなわち、この洗管ピグは、水道管を洗浄する能力と、水道管から分岐管に移送できることは互いに相反する特性となり、両方を満足することはできない。このため、水道管にすでに連結している消火栓や空気管を利用して洗管ピグを水道管に挿入し、また水道管から洗管ピグを取り出して水道管を洗浄する方法は、実現できていないのが実状である。
【０００５】
本発明はこの難しい課題を解決することを目的として開発されたもので、本発明の大切な目的は、水道管の内面を効率よく洗浄しながら、水道管よりも細い分岐管から出し入れして簡単に能率よく水道管の内面を擦り洗いできる水道管の洗管ピグを提供することにある。
【課題を解決するための手段】
【０００６】
本発明の水道管の洗管ピグは、前述の目的を達成するために以下の構成を備える。
水道管の洗管ピグは、地中に埋設している水道管１内を圧送されて、水道管１の内面を擦り洗いする。洗管ピグは、先端ブロック３０と、この先端ブロック３０に連結している弾性拡開テーパー筒部３１と、この弾性拡開テーパー筒部３１に連結している可撓性を有する不透水シート３２とを備える。弾性拡開テーパー筒部３１は、先端を先端ブロック３０に連結してなる複数の弾性線材３３からなる。複数の弾性線材３３は、先端から後端に向かって直径を大きくするテーパー状である筒状面内に配設している。不透水シート３２は、弾性拡開テーパー筒部３１の後端を開口し、かつ弾性拡開テーパー筒部３１に連結されて弾性拡開テーパー筒部３１の弾性線材３３の隙間を不透水状態としている。洗管ピグは、弾性拡開テーパー筒部３１が、弾性線材３３の弾性と、後端の開口部から内側に供給される加圧水で拡開されて水道管の内面を押圧し、弾性拡開テーパー筒部３１の内側に供給される加圧水で水道管１内を圧送される。
【０００７】
本発明の請求項２の水道管の洗管ピグは、弾性拡開テーパー筒部３１の外側に、水道管１の内面に付着する夾雑物を擦って除去する夾雑物除去シート３４を設けている。さらに、本発明の請求項３の水道管の洗管ピグは、夾雑物除去シート３４を、研磨材を付着しているシートとしている。
【０００８】
本発明の請求項４の水道管の洗管ピグは、不透水シート３２を、連結フック３９を介して弾性拡開テーパー筒部３１の弾性線材３３に連結している。
【０００９】
本発明の請求項５の水道管の洗管ピグは、不透水シート３２を弾性拡開テーパー筒部３１の外側に連結し、不透水シート３２の後端部を弾性拡開テーパー筒部３１の外側から内側に折曲して延長している。また、本発明の請求項６の水道管の洗管ピグは、不透水シート３２を弾性拡開テーパー筒部３１の内側に連結し、不透水シート３２の後端部を弾性拡開テーパー筒部３１の内側から外側に折曲して延長している。
【００１０】
本発明の請求項７の水道管の洗管ピグは、弾性拡開テーパー筒部３１が、先端ブロック３０に前後に位置ずれして連結している第１の弾性拡開テーパー筒部３１Ａと第２の弾性拡開テーパー筒部３１Ｂからなり、第１の弾性拡開テーパー筒部３１Ａを構成する弾性線材３３の間に第２の弾性拡開テーパー筒部３１Ｂを構成する弾性線材３３を配設している。
【００１１】
本発明の請求項８の水道管の洗管ピグは、先端ブロック３０の先端に、折曲部６を介して弾性拡開テーパー筒部３１よりも外形の小さいガイドピグ５を連結している。さらに、本発明の請求項９の水道管の洗管ピグは、折曲部６が先端ブロック３０とガイドピグ５とを連結する、変形できるロッド状又は紐状としている。
【発明の効果】
【００１２】
本発明の水道管の洗管ピグは、水道管の内面を効率よく洗浄しながら、水道管よりも細い分岐管から出し入れして、簡単に能率よく水道管の内面を擦り洗いできる特徴がある。それは、本発明の洗管ピグが、複数の弾性線材を先端から後端に向かって直径を大きくするテーパー状である筒状面内に配設する弾性拡開テーパー筒部を先端ブロックに連結して、弾性拡開テーパー筒部に可撓性のある不透水シートを後端を開口するように連結しているからである。この洗管ピグを水道管に入れて、その後方から加圧された水を供給すると、後端を開口している不透水シートの内側に入れられる加圧水が弾性拡開テーパー筒部を拡開して水道管の内面に押圧する。また、弾性拡開テーパー筒部は、弾性線材の弾性復元力によっても水道管の内面に押圧される。洗管ピグは、弾性線材の復元力と内側に流入される水圧の両方で弾性拡開テーパー筒部を拡開して水道管の内面に擦り付けられる。この状態で水圧に圧送されて、水道管の内面を効果的に擦り洗いする。
【００１３】
とくに、本発明の洗管ピグは、弾性線材の復元力と不透水シートの内側に流入される水圧で弾性拡開テーパー筒部を拡開するので、この部分を細くしながら、太い水道管の内面に押圧して効果的に擦り洗いできる。このため、本発明の洗管ピグは、水道管にすでに連結している消火栓や空気管や泥吐き部等の分岐管を利用して洗管ピグを水道管に挿入し、また、水道管から洗管ピグを取り出して簡単に、しかも能率良く水道管を洗浄できる。とくに、本発明の洗管ピグは、細い分岐管から太い水道管に移送し、また、反対に、太い水道管から細い分岐管にスムーズに移送しながら、太い水道管の内面をも効果的に擦り洗いできる。
【００１４】
また、本発明の請求項２の洗管ピグは、弾性拡開テーパー筒部の外側に、水道管の内面に付着する夾雑物を擦って除去する夾雑物除去シートを設けているので、この夾雑物除去シートでもって水道管の内面に強く付着する夾雑物をより効率的に除去できる。とくに、本発明の請求項３の洗管ピグは、夾雑物除去シートに研磨材を付着しているシートを使用することから、水道管の内面を研磨材で擦って、強く付着する夾雑物を確実に除去できる。
【００１５】
さらに、本発明の請求項４の洗管ピグは、不透水シートを連結フックを介して弾性拡開テーパー筒部の弾性線材に連結している。この構造は、不透水シートを簡単かつ容易に、しかも不透水シートと弾性線材とを一緒に拡開できることから、不透水シートの内部に流入される水圧で弾性拡開テーパー筒部を水道管の内面に確実に押圧して効果的に夾雑物を除去できる。
【００１６】
本発明の請求項５の洗管ピグは、不透水シートを弾性拡開テーパー筒部の外側に連結して、その後端部を弾性拡開テーパー筒部の外側から内側に折曲して延長している。また、本発明の請求項６の洗管ピグは、不透水シートを弾性拡開テーパー筒部の内側に連結して、その後端部を弾性拡開テーパー筒部の内側から外側に折曲して延長している。これらの構造の洗管ピグは、後端の開口部から不透水シートの内側に流入される水圧で、不透水シートが弾性線材から離れることがなく、内側に流入する水圧で確実に弾性拡開テーパー筒部を拡開して水道管を効果的に洗管できる。
【００１７】
さらにまた、本発明の請求項７の洗管ピグは、弾性拡開テーパー筒部を、先端ブロックに前後に位置ずれして連結している第１の弾性拡開テーパー筒部と第２の弾性拡開テーパー筒部とで構成し、第１の弾性拡開テーパー筒部の弾性線材の間に、第２の弾性拡開テーパー筒部の弾性線材を配設している。この構造は、弾性拡開テーパー筒部の先端部を細くして後端部を太くしながら、弾性線材の本数を多くし、多数の弾性線材で水道管の内面を効率よく洗管できる。
【００１８】
また、本発明の請求項８の洗管ピグは、先端ブロックの先端に、折曲部を介して弾性拡開テーパー筒部よりも外形の小さいガイドピグを連結している。この構造の洗管ピグは、水道管の内面を効率よく洗浄しながら、水道管から細い分岐管にスムーズに洗管ピグを移送して、内部にしかも詰まらないようにスムーズに取り出しできる。この構造の洗管ピグは、水道管から分岐管に移送される状態において、ガイドピグを細い分岐管にスムーズに移送できることから、分岐管のガイドピグを加圧水で圧送させて、折曲部を介して先端ブロックを引っ張って分岐管に移送する。したがって、太い水道管から細い分岐管にスムーズに洗浄ピグを移送できる。
【００１９】
さらにまた、本発明の請求項９の洗管ピグは、折曲部を、先端ブロックとガイドピグとを連結する変形できるロッド状又は紐状とする。この洗管ピグは、細長いロッド状または紐状の折曲部を変形させて、ガイドピグを水道管から分岐管にスムーズに移送できる特長がある。
【発明を実施するための最良の形態】
【００２０】
以下、本発明の実施例を図面に基づいて説明する。ただし、以下に示す実施例は、本発明の技術思想を具体化するための水道管の洗浄ピグを例示するものであって、本発明は水道管の洗管ピグを以下に特定しない。
【００２１】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００２２】
図１ないし図３に示すように、地中に埋設している水道管１は、消火栓と空気管と泥吐き部のいずれかからなる分岐管２を所定の間隔で連結している。これらの分岐管２は、先端を地上に設けている。洗管ピグは、水道管１に連結しているこれらの分岐管２を利用して水道管１に入れ、また水道管１を洗浄した洗管ピグ３を外部に取り出す。これらの分岐管２は、先端を地面から表出させているので、ここから洗管ピグ３を水道管１に入れることによって、地面を掘り起こすことなく地中に埋設する水道管１に洗管ピグ３を入れることができ、また地中の水道管１から洗管ピグ３を外部に取り出しできる。水道管１に入れられた洗管ピグ３は、加圧水で圧送されて水道管１の内部を移動する。移動する洗管ピグ３は、表面で水道管１の内面を擦り、水道管１の内面に付着する汚れや異物、あるいは錆等を除去して綺麗に洗浄する。
【００２３】
水道管１の特定の領域を洗管ピグ３で洗浄するとき、水道管１に洗管ピグ３を入れる分岐管２の外側と、水道管１から洗管ピグ３を取り出す分岐管２の外側を仕切弁８で閉塞する。一対の仕切弁８で水道管１の特定の領域を閉塞する状態で、図２に示すように、送り込み側の分岐管２に洗管ピグ３を入れ、この洗管ピグ３の背面に加圧水を供給して、洗管ピグ３を分岐管２から水道管１に移送し、さらに水道管１の内部を移動させる。水道管１を洗浄した洗管ピグ３は、図３に示すように、続いて供給される加圧水で、水道管１から分岐管２に圧送され、この分岐管２から外部に排出される。
【００２４】
加圧水で水道管１を圧送される洗管ピグ３は、表面で水道管１の内面を擦り洗いしながら移動する。汚れの甚だしい水道管１は、洗管ピグ３を水道管１内に複数回移送する。繰り返し水道管１の内部に圧送される洗管ピグ３は、通過する毎に水道管１の内面を擦り洗いして綺麗にする。したがって、洗管ピグ３を水道管１に通過させる回数を多くして、水道管１の内面をより綺麗に洗浄できる。
【００２５】
洗管ピグ３は、図４と図５に示すように、弾性拡開テーパー筒部３１を水道管１の内面に押圧する状態で移動して、水道管１の内面を綺麗に擦り洗いする。洗管ピグ３が水道管１の内面を押圧する力が弱くなると、能率よく擦り洗いできなくなる。
【００２６】
水道管１の内面を綺麗に擦り洗いする洗管ピグ３を図６と図７に示す。この洗管ピグ３は、先端ブロック３０と、この先端ブロック３０に連結している弾性拡開テーパー筒部３１と、この弾性拡開テーパー筒部３１に連結している可撓性を有する不透水シート３２とを備える。
【００２７】
先端ブロック３０は、分岐管２をスムーズに通過できる外形、たとえば、直径を７ｃｍ以下、好ましくは５ｃｍ以下とする円柱状としている。図の先端ブロック３０は、先端面をアーチ状に湾曲する形状としている。先端ブロック３０は、プラスチックを成形して製作され、あるいは金属で製作される。図の先端ブロック３０は、内部に中空を設けない形状、すなわち非中空状としているが、先端ブロックは、中空状に成形して軽くすることもできる。また、先端ブロックは、前後に開口される筒状とすることもできる。筒状の先端ブロックは、加圧水が前方に漏れないように、先端の開口部を閉塞する。
【００２８】
弾性拡開テーパー筒部３１は、先端を先端ブロック３０の外周面に固定している複数の弾性線材３３で構成される。複数の弾性線材３３は、先端から後端に向かって直径を大きくするテーパー状である筒状面内に配設されて、弾性拡開テーパー筒部３１を構成する。図６の弾性線材３３は、先端ブロック３０に固定される先端の固定部３３Ａと、弾性拡開テーパー筒部３１を次第に太くする中間部のテーパー部３３Ｂと、水道管１の内面に平行となる後端部３３Ｃとからなる。この弾性線材３３は、後端部３３Ｃを広い面積で水道管１の内面に接触して効率よく擦り洗いできる。弾性拡開テーパー筒部３１は、弾性線材３３を変形させない状態、すなわち洗管ピグ３を水道管１に入れない状態で、その後端の外径を擦り洗いする水道管１の内径よりも大きくしている。たとえば、内径を３００ｍｍとする水道管１を擦り洗いする洗管ピグ３は、弾性拡開テーパー筒部３１の後端外径を３５０ｍｍ以上とする。この洗管ピグ３は、弾性拡開テーパー筒部３１を復元力で水道管の内面に押圧して擦り洗いする。すなわち、弾性線材３３の復元力と加圧水の拡開圧の両方で弾性拡開テーパー筒部３１を水道管１の内面に押圧して擦り洗いする。本発明の洗管ピグは、弾性線材３３の復元力と加圧水の圧力の両方で弾性拡開テーパー筒部３１を拡開して水道管１の内面に押圧するものではあるが、洗管ピグ３を水道管１に入れない状態で、弾性拡開テーパー筒部３１の最大外径を必ずしも擦り洗いする水道管１の内径よりも大きくする必要はない。それは、弾性拡開テーパー筒部３１を加圧水で拡開して水道管１の内面に押圧できるからである。この洗管ピグ３は、弾性線材３３の復元力で拡開されるが、この復元力によっては弾性拡開テーパー筒部３１を水道管１の内面に接触させないが、内側に供給される加圧水に拡開された水道管１の内面に押圧されて擦り洗いする。
【００２９】
図６と図７の弾性拡開テーパー筒部３１は、先端ブロック３０に前後に位置ずれして連結している第１の弾性拡開テーパー筒部３１Ａと第２の弾性拡開テーパー筒部３１Ｂからなる。この弾性拡開テーパー筒部３１は、図５に示すように、第１の弾性拡開テーパー筒部３１Ａを構成する弾性線材３３の間に、第２の弾性拡開テーパー筒部３１Ｂを構成する弾性線材３３を配設している。この洗管ピグ３は、第１の弾性拡開テーパー筒部３１Ａと第２の弾性拡開テーパー筒部３１Ｂを構成する両方の弾性線材３３の後端部３３Ｃを水道管１の内面に押圧して、多数の弾性線材３３を水道管１の内面に押圧して効率よく擦り洗いできる。図６の洗管ピグ３は、第１の弾性拡開テーパー筒部３１Ａと第２の弾性拡開テーパー筒部３１Ｂを構成する弾性線材３３の後端部３３Ｃを前後に位置ずれさせている。ただ、洗管ピグは、図示しないが、第１の弾性拡開テーパー筒部と第２の弾性拡開テーパー筒部を構成する弾性線材の後端部を同一面に配置することもできる。
【００３０】
弾性線材３３は、先端ブロック３０の外周に先端部を平行に並べて固定している。この固定構造は、先端ブロック３０の外径と弾性線材３３の太さによって、先端ブロック３０に固定できる弾性線材３３の本数が特定される。弾性線材３３の数が多くなると、先端ブロック３０の表面に一段に並べて固定できなくなるからである。図４ないし図７に示すように、弾性拡開テーパー筒部３１を第１の弾性拡開テーパー筒部３１Ａと第２の弾性拡開テーパー筒部３１Ｂに分割し、前後にずらせて固定する構造は、２倍の弾性線材３３を先端ブロック３０に固定できる。このため、先端ブロック３０を、スムーズに移送できる細い構造としながら、弾性線材３３の数を多くして、太い水道管１の内面を効率よく擦り洗いできる。
【００３１】
不透水シート３２は、弾性線材３３の復元力で変形し、かつ内側に流入される加圧水で自由に変形できる可撓性があって、水を透過させない非透水性のあるシート、たとえばプラスチックシートや織布である。この不透水シート３２は、弾性拡開テーパー筒部３１の内側に供給される加圧水を透過させることなく、弾性拡開テーパー筒部３１を加圧水の圧力で拡開する。したがって、この不透水シート３２の非透水性は、加圧水で弾性拡開テーパー筒部３１を拡開できる程度の非透水性であって、全く水を透過させない非透水性ではない。水をわずかに透過させても、加圧水で弾性拡開テーパー筒部３１を拡開できる非透水性のシートも使用できるからである。
【００３２】
図６の洗管ピグ３は、第２の弾性拡開テーパー筒部３１Ｂを構成する弾性線材３３の内側に不透水シート３２を配設している。ただ、不透水シートは、弾性線材の外側に配設することもできる。不透水シート３２は、弾性拡開テーパー筒部３１の後端側を開口する袋状として、弾性拡開テーパー筒部３１に連結されて、弾性拡開テーパー筒部３１の弾性線材３３の隙間を不透水状態とする。図６の洗管ピグ３は、不透水シート３２の開口縁部を第２の弾性拡開テーパー筒部３１Ｂを構成する弾性線材３３の後端部に連結している。このように、開口縁部を弾性線材３３の後端部に連結する不透水シート３２は、後方から供給される加圧水で図の矢印Ｂで示す方向に押し広げられて、弾性拡開テーパー筒部３１を無理なく拡開できる。とくに、図の洗管ピグは、不透水シート３２を弾性拡開テーパー筒部３１の内側に配設しているので、後端の開口部３５から加圧水が供給される状態で、不透水シート３２を加圧水の水圧で押し開いて弾性拡開テーパー筒部３１を無理なく拡開できる。
【００３３】
さらに、図６の洗管ピグ３は、不透水シート３２を弾性拡開テーパー筒部３１の内側に連結して、不透水シート３２の後端部を弾性拡開テーパー筒部３１の内側から外側に折曲して延長して、延長部を弾性線材３３に連結している。この洗管ピグ３は、不透水シート３２を弾性線材３３に沿って前方にずらせるのを防止できる。不透水シート３２が弾性線材３３に沿って前方に移動すると、不透水シート３２が窄んで弾性拡開テーパー筒部３１を拡開できなくなるが、この洗管ピグ３は不透水シート３２が前方にずれず、加圧水を受けて弾性拡開テーパー筒部３１で確実に拡開して水道管１の内面に押圧できる。図の洗管ピグ３は、不透水シート３２を弾性拡開テーパー筒部３１の内側に連結して、不透水シート３２の後端部を弾性拡開テーパー筒部３１の内側から外側に折曲して延長している。ただ、洗管ピグは、これとは反対に、不透水シートを弾性拡開テーパー筒部の外側に連結して、不透水シートの後端部を弾性拡開テーパー筒部の外側から内側に折曲して延長して連結することもできる。
【００３４】
さらに、図６の洗管ピグ３は、弾性拡開テーパー筒部３１の外側に、水道管１の内面に付着する夾雑物を擦って除去する夾雑物除去シート３４を設けている。図の洗管ピグ３は、第１の弾性拡開テーパー筒部３１Ａの外側に夾雑物除去シート３４を設けている。夾雑物除去シート３４は、研磨材を付着しているシートである。この夾雑物除去シート３４は、不透水シート３２と同様に自由に変形できる可撓性のあるシートとして、弾性拡開テーパー筒部３１の外側全面に設けることができる。図の夾雑物除去シート３４は、弾性拡開テーパー筒部３１の外周面に沿う袋状とすると共に、先端部を固定リング３６を介して先端ブロック３０に固定している。さらに、図６の洗管ピグ３は、夾雑物除去シート３４を第１の弾性拡開テーパー筒部３１Ａの外側に連結して、夾雑物除去シート３４の後端部を第１の弾性拡開テーパー筒部３１Ａの外側から内側に折曲して延長して、延長部を弾性線材３３の後端に連結している。この洗管ピグ３は、夾雑物除去シート３４が弾性線材３３に沿って前後にずれるのを防止して、夾雑物除去シート３４で水道管の内面を確実に洗浄できる。
【００３５】
さらに洗管ピグ３は、図８に示す構造とすることもできる。この先端ピグ３は、先端ブロック３０に、前後に位置ずれすることなく、一段の弾性拡開テーパー筒部３１を固定している。さらに、図の洗管ピグ３は、不透水シート３２を弾性拡開テーパー筒部３１の外側に連結して、不透水シート３２の後端部を弾性拡開テーパー筒部３１の表面側から内側に折曲して延長して、延長部を弾性線材３３に連結している。さらに、図の洗管ピグ３は、不透水シート３２を連結フック３９を介して弾性拡開テーパー筒部３１の弾性線材３３に連結している。この連結フック３９は、弾性線材３３に沿って移動できるように不透水シート３２を連結している。この洗管ピグ３も、不透水シート３２で加圧水を受けて、確実に拡開テーパー筒部３１を拡開して水道管１の内面に押圧できる。さらに、図の洗管ピグ３は、弾性拡開テーパー筒部３１の外側に設けた不透水シート３２の外側全面に、夾雑物除去シート３４を積層して設けている。ただ、弾性拡開テーパー筒部の外側に不透水シートを設ける洗管ピグは、不透水シートの外側に研磨材を付着して、夾雑物除去シートと不透水シートとを一枚のシートの一体構造とすることもできる。
【００３６】
以上の洗管ピグ３は、夾雑物除去シート３４を弾性拡開テーパー筒部３１の全周に配設している。このように、弾性拡開テーパー筒部３１の全周に設けられる夾雑物除去シート３４は、水道管１の内面を効果的に洗浄できる。ただ、夾雑物除去シートは、加圧水で弾性拡開テーパー筒部を拡開するものではないので、弾性拡開テーパー筒部や不透水シートの外側に、複数の短冊状に分離してその先端部を先端ブロックに連結することもできる。この構造の洗管ピグは、夾雑物除去シートを設けながら、弾性拡開テーパー筒部を自由に拡開できる。いいかえると、夾雑物除去シートによって、加圧水による弾性拡開テーパー筒部の拡開作用が阻害されない。
【００３７】
以上の構造の洗管ピグ３は、細い分岐管２に挿入されるときに、弾性拡開テーパー筒部３１の弾性線材３３を弾性変形させて、全体を細く絞る状態に変形される。ただ、洗管ピグ３は、弾性拡開テーパー筒部３１が細く絞られすぎると、後方から供給される加圧水を不透水シート３２の内側に供給できなくなる。この弊害を防止するために、図４ないし図８に示す洗管ピグ３は、後端の開口部３５の内側に、弾性変形する弾性拡開テーパー筒部３１の弾性線材３３の後端部が細くなりすぎるのを阻止する制限部材３７を備えている。
【００３８】
図４ないし図７に示す制限部材は、弾性変形材を円柱状に加工したものである。弾性変形材は、ウレタン樹脂やＥＶＡ等の軟質の合成樹脂発泡体である。この制限部材３７は、円柱状の外径を分岐管２の内径とほぼ等しくして、弾性変形する弾性拡開テーパー筒部３１の弾性線材３３の外径が分岐管３の内径よりも小さくなるのを防止している。図の制御部材３７は、連結部材３８を介して先端ブロック３０に連結している。
【００３９】
さらに、図８に示す洗管ピグ３は、制限部材３７を、弾性拡開テーパー筒部３１の後端部を拡開するバネ材としている。この制限部材３７は、弾性金属板４０を放射状に延びる形状として、その先端を弾性線材３３の後端に連結している。バネ材である制限部材３７は、弾性変形する弾性拡開テーパー筒部３１の弾性線材３３の外径が分岐管３の内径よりも小さくなると弾性拡開テーパー筒部３１の後端を拡開する弾性力としている。
【００４０】
さらに、図６の洗管ピグ３は、太い水道管１から細い分岐管２にスムーズに移送できる独特の構造としている。この図の洗管ピグ３は、先端ブロック３０の先端に、弾性拡開テーパー筒部３１よりも外形の小さいガイドピグ５を折曲部６を介して連結している。
【００４１】
図６の洗管ピグ３は、折曲部６を、変形できるロッド状又は紐状として、先端ブロック３０とガイドピグ５を連結している。図の折曲部６は、可撓性のある金属線、例えばワイヤーとしている。ただ、折曲部は、硬質または軟質のプラスチックをロッド状またはひも状に成形したものとすることもできる。折曲部６は、一端をガイドピグ５に連結すると共に、他端を先端ブロック３０に連結している。折曲部６は、ガイドピグ５と先端ブロック３０に抜けないように連結している。図６の洗管ピグ３は、折曲部６の一端部をガイドピグ５に貫通させると共に、貫通部の前後に鍔４１を介して固定具４２を固定して、ガイドピグ５を折曲部６に抜けないように固定している。さらに、図６の洗管ピグ３は、折曲部６の他端を、先端ブロック３０に貫通させると共に、弾性拡開テーパー筒部３１の内面に配設された不透水シート３２を貫通させて、さらに、後端の開口部３５に配設した制限部材３７に連結している。制限部材３７は、折曲部６の後端部を貫通させると共に、貫通部の前後に鍔４３を介して固定具４４を固定して、連結部材３８である折曲部６を抜けないように固定している。さらに、図の洗管ピグ３は、折曲部６が貫通する不透水シート３２の貫通部の前後にも鍔４５を介して固定具４６を固定している。
【００４２】
ロッド状またはひも状の折曲部６は、先端ブロック３０とガイドピグ５とを離して連結すると共に、細長い折曲部６を曲がりやすくする。この構造の洗管ピグ３は、ガイドピグ５と先端ブロック３０を分岐管２から水道管１に、また水道管１から分岐管２にスムーズに移送できる。とくに、水道管１から細い分岐管２にスムーズにガイドピグ５と先端ブロック３０を移送できる。分岐管２は、図１ないし図３に示すように、Ｔ字状のチーズ９を介して水道管１に連結されるので、水道管１から分岐管２に移送される洗管ピグ３は、水道管１と分岐管２の境界で移送方向を９０度変更されるが、この構造の洗管ピグ３は、ガイドピグ５と先端ブロック３０を水道管１から分岐管２にスムーズに移送できる。それは、分岐管２にガイドピグ５があって、先端ブロック３０が水道管１にある状態で、分岐管２のガイドピグ５が加圧水に圧送されて、折曲部６を介して水道管１内の先端ブロック３０を引っ張って分岐管２に移送できるからである。また、ガイドピグ５が水道管１から分岐管２に移送されるときに、細長い折曲部６が曲がりやすく、ガイドピグ５を水道管１から分岐管２にスムーズに移送できる効果もある。さらに、折曲部６は、ガイドピグ５が分岐管２に、先端ブロック３０が水道管１内にあるとき、不透水シート３２が加圧水で押圧されて折曲部６を後ろから押すことも、洗管ピグ３をスムーズに移送することに効果がある。
【００４３】
ガイドピグ５は、水道管１を洗浄するためのものではなく、先端ブロック３０を水道管１から分岐管２に引っ張り上げるために設けている。したがって、ガイドピグ５は、分岐管２内をスムーズに圧送される外径に製作される。水道管１に連結している分岐管２の内径は、ほとんどが７５ｍｍである。ガイドピグ５は、この内径の分岐管２に加圧水で圧送されるように、外径を８０ｍｍ〜１５０ｍｍとする。ガイドピグ５は、先端ブロック３０と同じように、分岐管２の内面に弾性的に押圧される状態で、加圧水に圧送される。
【００４４】
ガイドピグ５は、弾性変形材を円柱状に加工して製作される。弾性変形材は、ウレタン樹脂やＥＶＡ等の軟質の合成樹脂発泡体である。弾性変形材は、合成樹脂発泡体に代わって、ゴム状弾性体を気密に閉塞して、内部に気体を充填する構造とすることもできる。図のガイドピグ５は、先端の外周部をテーパー状にカットした円柱状としているが、ガイドピグは、必ずしも円柱状とする必要はなく、分岐管内をスムーズに圧送できる他の外形とすることもできる。
【００４５】
以上の洗管ピグ３は、以下のようにして地中に埋設している水道管１を洗浄する。
（１）洗管ピグ３で洗浄する領域の両側、すなわち送り込み側の分岐管２の外側と、取り出し側の分岐管２の外側に連結している仕切弁８を閉弁する。
（２）分岐管２と消火栓等を連結しているフランジの止ネジを外して、送り込み側と取り出し側の消火栓等を外して分岐管２の先端を開口する。
（３）図２に示すように、送り込み側の分岐管２の開口端に、両フランジ短管１０を介して三フランジＹ字管１１を連結する。さらに、図３に示すように、取り出し側の分岐管２の開口端に、両フランジ短管１０を介して三フランジＹ字管１１を連結する。
【００４６】
両フランジ短管１０は、テーパー管１０ａの両端にフランジ１０ｂを設けている。テーパー管１０ａは、分岐管２に向かって内径を次第に細くして、三フランジＹ字管１１から挿入される洗管ピグ３を分岐管２に無理なく案内する。したがって、このテーパー管１０ａは、下端の内径を分岐管２と同じとし、上端の内径を、三フランジＹ字管１１の下端と同じ内径としている。たとえば、図２の三フランジＹ字管１１は、下端の内径を１００ｍｍとするので、テーパー管１０ａは、上端の内径を１００ｍｍ、下端の内径を７５ｍｍとしている。三フランジＹ字管１１は、下端の内径を１００ｍｍ、上端と分岐端の内径を１２５ｍｍとしている。
【００４７】
送り込み側の三フランジＹ字管１１は、直管１１Ａの上端に開閉弁１２を介して、加圧水源２４に連結するカップリング１３を連結している。分岐管１１Ｂの開口端にも開閉弁１４を介して加圧水源２５に連結するカップリング１５を連結している。三フランジＹ字管１１には圧力計１６を連結して、加圧水の圧力を検出するようにしている。
【００４８】
取り出し側の三フランジＹ字管１１は、直管１１Ａの上端に開閉弁１７を介してチーズ１８を連結し、チーズ１８の開口端に開閉弁１９、２０を介して、加圧水源２６に連結するカップリング２１と、真空装置２７に連結するカップリング２２とを連結している。分岐管１１Ｂの開口端には仕切弁２３を連結している。この三フランジＹ字管１１も圧力計１６を連結して、加圧水の圧力を検出するようにしている。
【００４９】
（４）送り込み側の三フランジＹ字管１１の分岐端を開口して洗管ピグ３を入れ、洗管ピグ３を押して直管１１Ａまで押し込んだ後、分岐端を閉塞する。洗管ピグ３は、弾性拡開テーパー筒部３１を外周方向から押圧して、全体が細くなるように弾性線材３３を弾性変形させた状態で、三フランジＹ字管１１の分岐管１１Ｂに挿入される。図の三フランジＹ字管１１は、分岐端に開閉弁１４を介してカップリング１５を連結しているので、このカップリング１５を介して分岐端を加圧水源２５の水ポンプに連結し、この水ポンプから加圧水を供給して、洗管ピグ３を直管１１Ａまで押し込む。分岐管１１Ｂから挿入される洗管ピグ３は、弾性拡開テーパー筒部３１の弾性線材３３が弾性変形されて全体を細く絞られているが、開口部３５に設けた制限部材３７によって、弾性変形する弾性線材の後端部が細くなりすぎるのが阻止される。このため、分岐端から供給される加圧水を不透水シート３２に受けて、洗管ピグ３をスムーズに直管１１Ａまで押し込むことができる。
【００５０】
（５）その後、送り込み側の三フランジＹ字管１１の上端に設けているカップリング１３を介して加圧水源２４に連結し、加圧水源２４から加圧水を供給する。加圧水源２４は、水を加圧して排出できるタービンポンプ等の水ポンプである。水ポンプである加圧水源２４は、加圧水を供給する。供給された加圧水は、図２に示すように、洗管ピグ３を、三フランジＹ字管１１と両フランジ短管１０と分岐管２に通過させ、さらに分岐管２から水道管１に圧送する。水道管１は分岐管２よりも太いので、洗管ピグ３は分岐管２から水道管１に無理なく圧送される。このとき、分岐端のカップリング１５を加圧水源２５である水ポンプに連結して、ここから三フランジＹ字管１１に加圧水を供給することもできる。
【００５１】
（６）送り込み側の三フランジＹ字管１１から供給される加圧水は、洗管ピグ３を送り込み側から取り出し側に圧送する。この状態で洗管ピグ３は、弾性拡開テーパー筒部３１の弾性線材３３の弾性復元力によって夾雑物除去シート３２を水道管１の内面に押圧すると共に、後端の開口部３５に供給される加圧水によって不透水シート３２が弾性拡開テーパー筒部３１を拡開して水道管１の内面に押圧する。すなわち、洗管ピグ３は、弾性線材の復元力と、内側に流入される加圧水の両方で弾性拡開テーパー筒部を拡開して水道管の内面に擦り付けられる。この状態で、洗管ピグ３は、加圧水に圧送されて、水道管１の内面を擦り洗いしながら移動する。このように、弾性拡開テーパー筒部３１を拡開して水道管１の内面を押圧する状態で圧送される洗管ピグ３は、弾性拡開テーパー筒部３１の表面に設けている夾雑物除去シート３４で水道管１の内面を効果的に擦り洗いする。
さらに、洗管ピグ３が取り出し側に圧送されると、取り出し側の三フランジＹ字管１１に連結した加圧水源２６から加圧水を供給して、洗管ピグを水道管１内で逆送させることもできる。すなわち、水道管１内に洗管ピグ３を位置させる状態で、洗管ピグ３を送り込み側と取り出し側に繰り返し往復させて、水道管１の内面をより綺麗に擦り洗いすることもできる。
【００５２】
（７）水道管１の内面を綺麗に擦り洗いした洗管ピグ３が取り出し側に圧送されると、洗管ピグ３は、取り出し側の三フランジＹ字管１１から外部に取り出される。このとき、送り込み側から加圧水を供給して、洗管ピグ３の先端に連結しているガイドピグ５を水道管１から分岐管２に移送する。ガイドピグ５は細く成形されると共に、折曲部６を介して先端ブロック３０に連結しているので、水道管１から分岐管２にスムーズに移送される。このとき、取り出し側の三フランジＹ字管１１に連結している真空装置２７で空気を強制的に排出して、ガイドピグ５を水道管１から分岐管２にスムーズに移送することができる。
【００５３】
（８）分岐管２に移送されたガイドピグ５は、送り込み側から供給される加圧水に圧送されて、分岐管２を上昇する。このときも、取り出し側の三フランジＹ字管１１に連結している真空装置２７で空気を強制的に排気して、ガイドピグ５をスムーズに分岐管２に上昇できる。
（９）分岐管２を上昇するガイドピグ５は、折曲部６を介して先端ブロック３０を引っ張って、水道管１から分岐管２に移送する。洗管ピグ３が水道管１から分岐管に移送されると、細い分岐管２の内面を通過できるように、弾性拡開テーパー筒部３１の弾性線材３３が弾性変形して全体が細く変形する。この状態で、分岐管２に移送された洗管ピグ３は、加圧水で分岐管２を上昇する方向に圧送され、取り出し側の分岐管２から外部にスムーズに排出される。
以上のように、洗管ピグ３を加圧水で圧送すると、速やかに分岐管２と水道管１に移送できる。したがって、加圧水源２４、２５、２６には、水を加圧して排出できるタービンポンプ等の水ポンプが使用できる。
【００５４】
以上の実施例は、消火栓と空気管と泥吐き部のいずれかからなる分岐管２を使用して、洗管ピグ３を水道管１に入れ、また排出するので、水道管１に洗管ピグ３を出し入れする分岐管を連結する必要がない。ただ、水道管に、これよりも細い分岐管を連結して、この連結された分岐管から洗管ピグを水道管に出し入れすることもできる。この場合、水道管に分岐管を連結するとしても、細い分岐管を連結するので、分岐管の連結を簡単に経済的にできる。
【図面の簡単な説明】
【００５５】
【図１】本発明の一実施例にかかる水道管の洗浄ピグで洗浄される水道管を示す概略断面図である。
【図２】図１に示す水道管に連結している送り込み側の分岐管を示す拡大断面図である。
【図３】図１に示す水道管に連結している取り出し側の分岐管を示す拡大断面図である。
【図４】本発明の一実施例にかかる洗管ピグで水道管を洗浄する状態を示す断面図である。
【図５】図４に示す洗管ピグのＡ−Ａ線断面図である。
【図６】本発明の一実施例にかかる水道管の洗管ピグの断面図である。
【図７】図６に示す水道管の洗管ピグの分解斜視図である。
【図８】本発明の他の実施例にかかる水道管の洗管ピグの断面図である。
【符号の説明】
【００５６】
１…水道管
２…分岐管
３…洗管ピグ
５…ガイドピグ
６…折曲部
８…仕切弁
９…チーズ
１０…両フランジ短管        １０ａ…テーパー管
１０ｂ…フランジ
１１…三フランジＹ字管      １１Ａ…直管
１１Ｂ…分岐管
１２…開閉弁
１３…カップリング
１４…開閉弁
１５…カップリング
１６…圧力計
１７…開閉弁
１８…チーズ
１９…開閉弁
２０…開閉弁
２１…カップリング
２２…カップリング
２３…仕切弁
２４…加圧水源
２５…加圧水源
２６…加圧水源
２７…真空装置
３０…先端ブロック
３１…弾性拡開テーパー筒部  ３１Ａ…第１の弾性拡開テーパー筒部
３１Ｂ…第２の弾性拡開テーパー筒部
３２…不透水シート
３３…弾性線材              ３３Ａ…固定部
３３Ｂ…テーパー部
３３Ｃ…後端部
３４…夾雑物除去シート
３５…開口部
３６…固定リング
３７…制限部材
３８…連結部材
３９…連結フック
４０…弾性金属板
４１…鍔
４２…固定具
４３…鍔
４４…固定具
４５…鍔
４６…固定具
【図１】
0004500334.tif 000002
【図２】
0004500334.tif 000003
【図３】
0004500334.tif 000004
【図４】
0004500334.tif 000005
【図５】
0004500334.tif 000006
【図６】
0004500334.tif 000007
【図７】
0004500334.tif 000008
【図８】
0004500334.tif 000009